(57)【要約】【課題】放射性物質により汚染されている汚染コンクリート塊を安全かつ効率的に除染するための有効適切な除染処理方法およびそのための装置を提供する。【解決手段】本発明の除染処理方法は、除染処理対象の汚染コンクリート塊１を密閉容器２内において撹拌してすりもみ処理することにより汚染コンクリート塊の表層部を磨砕せしめ、すりもみ処理により発生した磨砕粉を密閉容器内から吸引して回収する。本発明の除染処理装置は、汚染コンクリート塊１を収容する密閉容器２と、密閉容器内において汚染コンクリート塊を撹拌してすりもみ処理する撹拌装置６と、密閉容器内において発生した磨砕粉を吸引して回収するための吸引装置を具備する。【選択図】図１
2014109559.tif 000002
【特許請求の範囲】
【請求項１】
表面に放射性物質が付着・浸透している汚染コンクリート塊を対象として除染処理を行うための汚染コンクリート塊の除染処理方法であって、
除染処理対象の汚染コンクリート塊を密閉容器内において撹拌してすりもみ処理することにより該汚染コンクリート塊の表層部を磨砕せしめるとともに、該すりもみ処理により前記密閉容器内において発生した磨砕粉を前記密閉容器内から吸引して回収することを特徴とする汚染コンクリート塊の除染処理方法。
【請求項２】
請求項１記載の汚染コンクリート塊の除染処理方法を実施するための汚染コンクリート塊の除染処理装置であって、
除染処理対象の汚染コンクリート塊を収容する密閉容器と、
前記密閉容器内において前記汚染コンクリート塊を撹拌してすりもみ処理することにより該汚染コンクリート塊の表層部を磨砕せしめる撹拌装置と、
前記すりもみ処理によって前記密閉容器内において発生した磨砕粉を前記密閉容器内から吸引して回収するための吸引装置を具備してなることを特徴とする汚染コンクリート塊の除染処理装置。
【発明の詳細な説明】
【技術分野】
【０００１】
本発明は、表面に放射性物質が付着・浸透している汚染コンクリート塊を対象として除染処理を行うための方法および装置に関する。
【背景技術】
【０００２】
原子力発電所等の原子力関連施設において事故が発生した場合、あるいはそれらの施設に対する解体工事や更新工事を行う際には、放射性物質により汚染されたコンクリートが多量に発生することが想定される。
【０００３】
そのような汚染コンクリートの表面には放射性物質が付着・浸透しているので、汚染コンクリートを安全に処分するためには事前に十分な除染処理を行う必要があり、そのための除染手法としてたとえば特許文献１，２に示されるものが提案されている。
特許文献１は、大型機器や建屋の床面・壁面等の大型除染物に対して除染用水をノズルから噴出させるとともにその水流に超音波振動を付与して、水洗浄による除染処理を行うというものである。
特許文献２は、建屋の躯体等の汚染コンクリート構造体を円板ブレードにより切断して除去するというものである。
【先行技術文献】
【特許文献】
【０００４】
【特許文献１】特開平９−１８９７９９号公報
【特許文献２】特開２００７−１０５３６号公報
【発明の概要】
【発明が解決しようとする課題】
【０００５】
ところで、先の東日本大震災では膨大な量の瓦礫が発生し、その中には放射性物質に汚染された瓦礫状のコンクリート塊（いわゆるコンクリートガラ）も多量に含まれているが、そのような汚染コンクリート塊に対する有効適切な除染処理手法は未だ確立されていない。
勿論、特許文献１、２において提案されている従来の除染手法は健全なコンクリート構造物に対する除染やその解体の際に適用されるものであるので、そのような手法は汚染コンクリート塊に対する除染処理手法としてそのまま適用できるものではない。
【０００６】
上記事情に鑑み、本発明は放射性物質により汚染されている汚染コンクリート塊を安全にかつ効率的に除染するための有効適切な除染処理方法およびそのための装置を提供することを目的とする。
【課題を解決するための手段】
【０００７】
請求項１記載の発明は、表面に放射性物質が付着・浸透している汚染コンクリート塊を対象として除染処理を行うための汚染コンクリート塊の除染処理方法であって、除染処理対象の汚染コンクリート塊を密閉容器内において撹拌してすりもみ処理することにより該汚染コンクリート塊の表層部を磨砕せしめるとともに、該すりもみ処理により前記密閉容器内において発生した磨砕粉を前記密閉容器内から吸引して回収することを特徴とする。
【０００８】
請求項２記載の発明は、請求項１記載の汚染コンクリート塊の除染処理方法を実施するための汚染コンクリート塊の除染処理装置であって、除染処理対象の汚染コンクリート塊を収容する密閉容器と、前記密閉容器内において前記汚染コンクリート塊を撹拌してすりもみ処理することにより該汚染コンクリート塊の表層部を磨砕せしめる撹拌装置と、前記すりもみ処理によって前記密閉容器内において発生した磨砕粉を前記密閉容器内から吸引して回収するための吸引装置を具備してなることを特徴とする。
【発明の効果】
【０００９】
本発明によれば、汚染コンクリート塊を密閉容器内においてすりもみ処理することにより、放射性物質が付着・浸透している表層部のみをわずかに除去し、それにより発生する磨砕粉を密閉容器内から吸引して回収することにより、放射性物質を含む磨砕粉が周囲に飛散してしまうようなことを自ずと防止できるばかりでなく、回収したごく少量の磨砕粉のみを対象として最終的に処理・処分することで済み、しかも除染処理後のコンクリート塊を資源として有効活用することも可能であり、除染処理に要する手間と費用を格段に軽減することが可能である。
【図面の簡単な説明】
【００１０】
【図１】本発明の実施形態である除染処理装置の概略構成を示すもので、（ａ）は平断面図、（ｂ）は側断面図である。
【発明を実施するための形態】
【００１１】
以下、本発明の汚染コンクリート塊の除染処理方法および汚染コンクリート塊の除染処理装置の実施形態について説明する。
図１は本実施形態の除染処理装置の概略構成を示すもので、（ａ）は平断面図、（ｂ）は側断面図である。
【００１２】
本実施形態の除染処理方法は、たとえば原子力発電所等の原子力関連施設における事故あるいは原子力関連施設に対する解体工事や更新工事に伴って発生した汚染コンクリート塊１を対象として、その汚染コンクリート塊１の表層部に付着・浸透している放射性物質を除染するために実施される方法であり、図１に示す本実施形態の除染処理装置はその方法を実施するために装置として好適に採用可能なものである。
【００１３】
本発明において除染対象としている汚染コンクリート塊１（放射性物質に汚染されているコンクリート塊）は、放射性物質により汚染されているとはいっても、放射性物質が内部深くにまで浸透していてその全体が汚染されているわけではなく、放射性物質が単にその表面に付着しているか、あるいは表層部のごく浅い部分（数mm程度）に浸透しているに留まるものである。
したがって、そのような汚染コンクリート塊１に対する除染処理に際しては、その表層部を少なくとも数mm程度の厚さで薄く除去することで十分な除染効果が得られるものである。
【００１４】
上記知見に基づき、本実施形態の除染処理方法は、除染処理対象の汚染コンクリート塊１を密閉容器内において撹拌してすりもみ処理することによって汚染コンクリート塊１の表層部を磨砕せしめるとともに、そのすりもみ処理により密閉容器内において発生した磨砕粉を密閉容器内から吸引して回収することを特徴とするものである。
【００１５】
また、本実施形態の除染処理装置は、上記の除染処理方法を効率的に実施するために、除染処理対象の汚染コンクリート塊１を収容する密閉容器と、密閉容器内において汚染コンクリート塊１を撹拌してすりもみ処理することにより汚染コンクリート塊１の表層部を磨砕せしめる撹拌装置と、そのすりもみ処理によって密閉容器内において発生した磨砕粉を密閉容器内から吸引して回収するための吸引装置を具備したことを特徴とするものである。
【００１６】
本実施形態の除染処理装置の構成を図１を参照して具体的に説明する。
図１において符号２は除染処理対象の汚染コンクリート塊１を収容する縦型円筒形の密閉容器である。
図１（ｂ）に示すように、密閉容器２の上部は汚染コンクリート塊１を投入するための投入口として開放されていて、そこには蓋体３が密閉可能に装着されるようになっている。また、密閉容器２の底部には処理後のコンクリート塊を取り出すための排出口４が設けられていて、そこには旋回扉５が密閉可能に設けられている。
【００１７】
密閉容器２内には撹拌装置６が設けられている。撹拌装置６は、密閉容器２の底部中心位置に設けられたモータ７と、モータ７により駆動されて回転せしめられる回転軸８と、回転軸８の周囲に放射状に多段に設けられた複数の撹拌翼９（図示例では３段、全６枚）からなる。
【００１８】
密閉容器２内の底部側面には内部空気を吸引するための吸引口が設けられていてそこには吸引ダクト１０が接続され、吸引ダクト１０の先端部にはブロワ等の吸引装置（図示略）が接続されていて、除染処理により密閉容器２内において発生した磨砕粉を吸引ダクト１０を通して吸引装置により吸引して回収可能とされている。
【００１９】
なお、吸引装置による吸引量に見合う空気が密閉容器２内に吸引されて流入する必要があるので、それに応じて蓋体３や旋回扉５の気密性能を調整して若干の隙間を許容しておくか、あるいは必要であれば外部空気を密閉容器２内に流入させるための流入口を適宜位置に設けておけば良い。
いずれにしても、すりもみ処理中においては密閉容器２内を常に負圧に維持しておいて、磨砕粉が不用意に外部に漏出して周囲を汚染してしまうことがないように留意すべきである。
【００２０】
上記構成の除染処理装置を用いて除染処理を行うには、旋回扉５により排出口４を閉じた状態において所定量の汚染コンクリート塊１を密閉容器２内に投入し、蓋体３を閉じて汚染コンクリート塊１を密閉容器２内に密封し、その状態で撹拌装置６により汚染コンクリート塊１を撹拌すれば良い。
なお、除染処理対象の汚染コンクリート塊１を密閉容器２に投入するに先立ち、必要であればそれらの形状や大きさを揃えるための適宜の前処理を行っても良い。
【００２１】
これにより、密閉容器２内において汚染コンクリート塊１どうしが自ずと相互にこすり合わせられてすりもみ処理がなされ、それにより汚染コンクリート塊１の表層部が磨砕されて微細な磨砕粉が発生し、その磨砕粉は吸引ダクト１０を通して吸引装置により吸引されて回収される。
所定時間のすりもみ処理によって汚染コンクリート塊１の表層部を所望厚さ（数mm程度で十分である）だけ磨砕させた後、旋回扉５を開いて排出口４から処理済みのコンクリート塊を落下させて取り出せば良い。
【００２２】
上記のように、本実施形態の除染処理方法および装置においては、除染処理対象の汚染コンクリート塊１を密閉容器２内において撹拌装置６により単にすりもみ処理を行うことのみで、汚染コンクリート塊１の表層部がすりもまれて磨砕粉が発生し、その磨砕粉は周囲に飛散してしまうことなく密閉容器２内から吸引装置により直接的に吸引されて回収される。
【００２３】
吸引装置により回収した磨砕粉には放射性物質が高濃度に含まれているから、これに対しては適宜の処理・処分が当然に必要であるが、密閉容器２内においてすりもみ処理のなされたコンクリート塊はその表層部に付着・浸透していた放射性物質が磨砕粉として除去されて十分な除染がなされているので、これは通常の清浄なコンクリート塊として支障なく取り扱うことが可能なものとなる。
【００２４】
したがって、本実施形態の除染処理方法および装置によれば、回収した少量の磨砕粉を対象としてそれに対するさらなる処理・処分を行えば足り、除染処理後のコンクリート塊は一般廃棄物として廃棄処分することが可能であることはもとより、たとえば再生骨材の原料として有効活用することも可能である。
【００２５】
以上のように、本発明によれば、放射性物質に汚染されている汚染コンクリート塊１に対する除染処理を極めて安全にかつ効率的に実施することが可能である。
すなわち、従来一般的な通常の手法のように汚染コンクリート塊１を単にそのまま不用意に破砕してしまうと、放射性物質が周囲に飛散してしまう懸念があるばかりでなく、放射性物質を含むコンクリート片が多量に発生してしまい、その全量を放射性物質として取り扱って処理・処分する必要が生じ、そのために多大な手間と費用を要するものとなるし、除染後のコンクリート片を有効利用するようなことは望むべくもない。
【００２６】
それに対し、本発明によれば、汚染コンクリート塊１を密閉容器２内において単にすりもみ処理して放射性物質が付着・浸透している表層部のみをわずか数mm程度だけ除去して、それを密閉容器２内から磨砕粉として回収することにより、放射性物質を含む磨砕粉が周囲に飛散してしまうようなことを自ずと防止できるばかりでなく、回収したごく少量の磨砕粉のみを対象として最終的に処理・処分することで済み、しかも除染処理後のコンクリート塊は資源として有効活用することも可能であるから、除染処理に要する手間と費用を格段に軽減することが可能である。
【００２７】
以上で本発明の実施形態について説明したが、上記実施形態はあくまで好適な一例であって、本発明は上記実施形態に限定されるものではなく、本発明の要旨を逸脱しない範囲内であれば、すなわち汚染コンクリート塊を密閉容器内においてすりもみ処理するとともにそれにより発生する磨砕粉を吸引して回収する限りにおいて、本発明は適宜の設計的変更や応用が可能である。
【００２８】
たとえば、上記実施形態の除染処理方法では除染処理をバッチ処理にて行うものとし、したがって上記実施形態の除染処理装置では密閉容器２をバッチ処理用の縦型円筒形の容器としたが、本発明の除染処理方法は汚染コンクリート塊を連続的に移送しながら連続処理することも可能であり、その場合には密閉容器２として汚染コンクリート塊を連続的に移送しつつ所定時間のすりもみ処理が可能な構成とすれば良い。
【００２９】
いずれにしても、除染処理としてのすりもみ処理の具体的な工程や、すりもみ処理のための各部の具体的な構成やその仕様、たとえば前処理の有無、すりもみ処理によって磨砕するべき表層部の厚さ、処理時間、密閉容器の容量やその形態、撹拌装置や吸引装置の具体的な構成その他については、処理対象の汚染コンクリート塊の寸法や形状、その汚染の程度、要求される除染性能や処理能力その他の諸条件を考慮して、所望の除染効果と除染効率が得られるように最適に設定すれば良い。
【符号の説明】
【００３０】
１  汚染コンクリート塊
２  密閉容器
３  蓋体
４  排出口
５  旋回扉
６  撹拌装置
７  モータ
８  回転軸
９  撹拌翼
１０  吸引ダクト
【図１】
2014109559.tif 000003